【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
太陽電池を含む複数の電源と、
入力端から入力された前記電源からの直流電圧を所定の昇圧比で昇圧し、出力端から直流電圧を出力する非絶縁型のＤＣ／ＤＣコンバータと、
前記ＤＣ／ＤＣコンバータの出力端から出力された直流電圧を交流に変換するインバータと、
を備え、昼間と夜間の両方において系統連系される分散型電源システムであって、
少なくとも夜間においては、前記太陽電池の負極の電位が、前記インバータの負極の電位より高くなるようにする電位調整手段を有することを特徴とする、分散型電源システム。
【請求項２】
前記電位調整手段は、前記太陽電池の出力端の正極と、前記ＤＣ／ＤＣコンバータの出力端の正極の電位を共通とした回路配置を含むことを特徴とする、請求項１に記載の分散型電源システム。
【請求項３】
前記ＤＣ／ＤＣコンバータは、少なくともリアクトル、ダイオードおよびスイッチング素子を備えており、
前記電位調整手段は、前記リアクトルの一端が前記太陽電池の負極に接続され、前記リアクトルの他端が、前記ダイオードのカソードに接続され、前記ダイオードのアノードは、前記ＤＣ／ＤＣコンバータの出力端の負極に接続されるよう、直列に接続された回路配置をさらに含むことを特徴とする、請求項２に記載の分散型電源システム。
【請求項４】
前記電位調整手段は、前記ＤＣ／ＤＣコンバータにおける、入力端の正極と出力端の正極の間と、入力端の負極と出力端の負極の間とに、昇圧時に同等の電圧が生じる回路配置を含むことを特徴とする、請求項１に記載の分散型電源システム。
【請求項５】
前記ＤＣ／ＤＣコンバータは、少なくとも２つのリアクトル及び２つのダイオードと、コンデンサおよびスイッチング素子を備えており、
前記電位調整手段は、
前記２つのリアクトル及び２つのダイオードのうち、第一のリアクトル及び第一のダイオードは、第一のリアクトルの一端が前記ＤＣ／ＤＣコンバータの入力端の正極に接続され、該第一のリアクトルの他端が、第一のダイオードのアノードに接続され、該第一のダ
イオードのカソードは、前記ＤＣ／ＤＣコンバータの出力端の正極に接続されるよう、直列に接続され、
前記２つのリアクトル及び２つのダイオードのうち、第二のリアクトル及び第二のダイオードは、第二のリアクトルの一端が前記ＤＣ／ＤＣコンバータの入力端の負極に接続され、該第二のリアクトルの他端が、第二のダイオードのカソードに接続され、該第二のダイオードのアノードは、前記ＤＣ／ＤＣコンバータの出力端の負極に接続されるよう、直列に接続された、
回路配置を含むことを特徴とする、請求項４に記載の分散型電源システム。
【請求項６】
前記太陽電池の両端の直流電圧を検出するＤＣＶ検出回路を有し、
前記電位調整手段は、前記ＤＣ／ＤＣコンバータの入力端の正極と出力端の正極の間に、前記ＤＣＶ検出回路の抵抗値と同等の抵抗値を有する抵抗を備える回路配置を含むことを特徴とする、請求項４に記載の分散型電源システム。
【請求項７】
前記太陽電池の両端の直流電圧を検出するＤＣＶ検出回路を有し、
前記電位調整手段は、前記ＤＣ／ＤＣコンバータの出力端の正極と負極の間に、該ＤＣ／ＤＣコンバータの制御回路のＧＮＤを有する回路配置を含むことを特徴とする、請求項４に記載の分散型電源システム。
【請求項８】
前記太陽電池の両端の直流電圧を検出するＤＣＶ検出回路を有し、
前記電位調整手段は、
前記ＤＣ／ＤＣコンバータの出力端の正極に前記ＤＣＶ検出回路の抵抗値と同等の抵抗値を有する抵抗の一端が接続され、前記抵抗の他端には第三のダイオードのカソードが接続され、前記第三のダイオードのアノードと前記ＤＣ／ＤＣコンバータの出力端の負極とが接続され、前記抵抗の他端及び前記第三のダイオードのカソードは前記太陽電池の負極に接続される、
回路配置を含むことを特徴とする、請求項１に記載の分散型電源システム。
【請求項９】
前記第三のダイオードのカソードとアノードの間には、該第三のダイオードと並列に抵抗を有することを特徴とする請求項８に記載の分散型電源システム。
【請求項１０】
前記太陽電池の両端の直流電圧を検出するＤＣＶ検出回路を有し、
前記電位調整手段は、
前記ＤＣ／ＤＣコンバータの出力端の正極に前記ＤＣＶ検出回路の抵抗値と同等の抵抗値を有する抵抗の一端が接続され、
前記抵抗の他端にはＭＯＳＦＥＴの正極側が接続され、
前記ＭＯＳＦＥＴの負極と前記ＤＣ／ＤＣコンバータの出力端の負極とが接続され、前記抵抗の他端及び前記ＭＯＳＦＥＴの正極側は、前記太陽電池の負極に接続される、
回路配置を含むことを特徴とする、請求項１に記載の分散型電源システム。
【請求項１１】
前記抵抗の両端には、コンデンサが設けられたことを特徴とする、請求項８から１０のいずれか一項に記載の分散型電源システム。
【請求項１２】
前記第三のダイオードのカソードとアノードの間には、該第三のダイオードと並列にコンデンサを有することを特徴とする、請求項８に記載の分散型電源システム。
【請求項１３】
前記太陽電池の両端の直流電圧を検出するＤＣＶ検出回路を有し、
前記電位調整手段は、
前記ＤＣ／ＤＣコンバータの出力端の正極に前記ＤＣＶ検出回路の抵抗値と同等の抵抗値を有する抵抗の一端が接続され、
前記抵抗の他端と、前記太陽電池の負極と、前記ＤＣ／ＤＣコンバータの出力端の負極とが、三端子リレーに接続され、
前記三端子リレーは、昼間には前記太陽電池の負極と、前記ＤＣ／ＤＣコンバータの出力端の負極が接続された、
回路配置を含むとともに、夜間には前記抵抗の他端と、前記太陽電池の負極とが接続されるように制御されることを特徴とする、請求項１に記載の分散型電源システム。
【請求項１４】
前記電位調整手段は、
前記太陽電池の正極と前記ＤＣ／ＤＣコンバータの入力端の正極の間及び、前記太陽電池の負極と前記ＤＣ／ＤＣコンバータの入力端の負極の間には、前記太陽電池と前記ＤＣ／ＤＣコンバータの入力端の電気的接続を切離す切離し手段を有することを特徴とする、請求項１に記載の分散型電源システム。
【請求項１５】
前記切離し手段は、ＭＯＳＦＥＴであることを特徴とする請求項１４に記載の分散型電源システム。
【請求項１６】
前記切離し手段は、前記ＭＯＳＦＥＴと並列に設けられたリレーを有することを特徴とする、請求項１５に記載の分散型電源システム。
【請求項１７】
前記ＤＣ／ＤＣコンバータの出力端の正極と負極の間に抵抗が設けられ、
前記抵抗の途中の部分と、前記太陽電池の負極と、該負極に接続された前記切離し手段との間の部分とが電気的に接続されたことを特徴とする、請求項１４から１６のいずれか一項に記載の分散型電源システム。
【請求項１８】
前記太陽電池は、複数の太陽電池パネルが直列または並列に接続された太陽電池列であることをと特徴とする、請求項１から１７のいずれか一項に記載の分散型電源システム。
【請求項１９】
請求項１から１８のいずれか一項に記載の分散型電源システムに使用される、ＤＣ／ＤＣコンバータ。
【請求項２０】
入力端から入力された前記電源からの直流電圧を所定の昇圧比で昇圧し、出力端から直流電圧を出力する非絶縁型のＤＣ／ＤＣコンバータと、
前記ＤＣ／ＤＣコンバータの出力端から出力された直流電圧を交流に変換するインバータと、を備え、
請求項１から１８のいずれか一項に記載の分散型電源システムに使用される、パワーコンディショナ。